【手続補正書】
【提出日】平成30年12月25日(2018.12.25)
【手続補正１】
【補正対象書類名】特許請求の範囲
【補正対象項目名】請求項４
【補正方法】変更
【補正の内容】
【請求項４】
吸気通路を有するスロットルボディと、
前記吸気通路内に配置され、該吸気通路内を開閉するスロットルバルブと、
前記スロットルボディに回転可能に設けられ、前記スロットルバルブと一体で回転するスロットルシャフトと、
前記スロットルシャフトに固定され、電動式アクチュエータによって回動されるスロットルギヤと、
前記スロットルギヤを所定のオープナ開度位置に付勢するスプリングと、
前記スロットルボディに設けられ、開閉方向に回動する前記スロットルギヤの全閉開度位置以下への回動を規制する全閉ストッパと、
前記スロットルボディに設けられ、前記スプリングに設けられかつ該スプリングと共に開閉方向に回動するストッパ部材の前記オープナ開度位置以下への回動を規制するオープナストッパと、
前記スロットルシャフトに対して、前記全閉ストッパに当接可能な位置において固着されている全閉開度規制部材と、
前記スロットルシャフトに対して、前記オープナストッパに前記ストッパ部材が当接可能な位置において固着されているオープナ開度規制部材と、
を備えている、スロットル装置の製造方法であって、
前記スロットルバルブを前記吸気通路の内壁に当接させる工程と、
前記全閉開度規制部材を前記全閉ストッパに当接させる工程と、
前記スロットルバルブを、前記吸気通路の内壁に当接させた状態から全閉開度とオープナ開度とを足した開度分だけ回動させる工程と、
前記全閉開度規制部材をオープナ開度分だけ回動させる工程と、
前記オープナ開度規制部材の位置を前記ストッパ部材が前記オープナストッパに当接する位置とする工程と、
前記全閉開度規制部材及び前記オープナ開度規制部材を前記スロットルシャフトに固着させる工程と
を備える、スロットル装置の製造方法。
【手続補正２】
【補正対象書類名】特許請求の範囲
【補正対象項目名】請求項５
【補正方法】変更
【補正の内容】
【請求項５】
吸気通路を有するスロットルボディと、
前記吸気通路内に配置され、該吸気通路内を開閉するスロットルバルブと、
前記スロットルボディに回転可能に設けられ、前記スロットルバルブと一体で回転するスロットルシャフトと、
前記スロットルシャフトに固定され、電動式アクチュエータによって回動されるスロットルギヤと、
前記スロットルギヤを所定のオープナ開度位置に付勢するスプリングと、
前記スロットルボディに設けられ、開閉方向に回動する前記スロットルギヤの全閉開度位置以下への回動を規制する全閉ストッパと、
前記スロットルボディに設けられ、前記スプリングに設けられかつ該スプリングと共に開閉方向に回動するストッパ部材の前記オープナ開度位置以下への回動を規制するオープナストッパと、
前記スロットルシャフトに対して、前記全閉ストッパに当接可能な位置において固着されている全閉開度規制部材と、
前記スロットルシャフトに対して、前記オープナストッパに前記ストッパ部材が当接可能な位置において固着されているオープナ開度規制部材と、
を備えている、スロットル装置の製造方法であって、
前記スロットルバルブを全閉開度位置とした状態で、前記スロットルシャフトに回転可能に嵌合された前記全閉開度規制部材を、前記全閉ストッパに当接させる工程と、
前記スロットルシャフトと前記全閉開度規制部材とを相対回転不能に保持した状態で、前記スロットルバルブを前記オープナ開度位置に回動させる工程と、
前記スロットルバルブを前記オープナ開度位置とした状態で、前記オープナ開度規制部材の位置を前記ストッパ部材が前記オープナストッパに当接する位置とする工程と、
前記全閉開度規制部材及び前記オープナ開度規制部材を前記スロットルシャフトに固着させる工程と
を備える、スロットル装置の製造方法。
【手続補正３】
【補正対象書類名】特許請求の範囲
【補正対象項目名】請求項６
【補正方法】変更
【補正の内容】
【請求項６】
吸気通路を有するスロットルボディと、
前記吸気通路内に配置され、該吸気通路内を開閉するスロットルバルブと、
前記スロットルボディに回転可能に設けられ、前記スロットルバルブと一体で回転するスロットルシャフトと、
前記スロットルシャフトに固定され、電動式アクチュエータによって回動されるスロットルギヤと、
前記スロットルギヤを所定のオープナ開度位置に付勢するスプリングと、
前記スロットルボディに設けられ、開閉方向に回動する前記スロットルギヤの全閉開度位置以下への回動を規制する全閉ストッパと、
前記スロットルボディに設けられ、前記スプリングに設けられかつ該スプリングと共に開閉方向に回動するストッパ部材の前記オープナ開度位置以下への回動を規制するオープナストッパと、
前記スロットルシャフトに対して、前記全閉ストッパに当接可能な位置において固着されている全閉開度規制部材と、
前記スロットルシャフトに対して、前記オープナストッパに前記ストッパ部材が当接可能な位置において固着されているオープナ開度規制部材と、
を備えている、スロットル装置の製造方法であって、
前記スロットルバルブを前記オープナ開度位置とした状態で、前記スロットルシャフトに回転可能に嵌合した前記オープナ開度規制部材の位置を前記ストッパ部材が前記オープナストッパに当接する位置とする工程と、
前記スロットルシャフトと前記オープナ開度規制部材とを相対回転不能に保持した状態で、前記スロットルバルブを前記全閉開度位置に回動させる工程と、
前記スロットルバルブを前記全閉開度位置とした状態で、前記全閉開度規制部材を前記全閉ストッパに当接させる工程と、
前記全閉規制部材及び前記オープナ開度規制部材を前記スロットルシャフトに固着させる工程と
を備える、スロットル装置の製造方法。
【手続補正４】
【補正対象書類名】明細書
【補正対象項目名】００１１
【補正方法】変更
【補正の内容】
【００１１】
第４の発明は、吸気通路を有するスロットルボディと、前記吸気通路内に配置され、該吸気通路内を開閉するスロットルバルブと、前記スロットルボディに回転可能に設けられ、前記スロットルバルブと一体で回転するスロットルシャフトと、前記スロットルシャフトに固定され、電動式アクチュエータによって回動されるスロットルギヤと、前記スロットルギヤを所定のオープナ開度位置に付勢するスプリングと、前記スロットルボディに設けられ、開閉方向に回動する前記スロットルギヤの全閉開度位置以下への回動を規制する全閉ストッパと、前記スロットルボディに設けられ、前記スプリングに設けられかつ該スプリングと共に開閉方向に回動するストッパ部材の前記オープナ開度位置以下への回動を規制するオープナストッパと、前記スロットルシャフトに対して、前記全閉ストッパに当接可能な位置において固着されている全閉開度規制部材と、前記スロットルシャフトに対して、前記オープナストッパに前記ストッパ部材が当接可能な位置において固着されているオープナ開度規制部材と、を備えている、スロットル装置の製造方法であって、前記スロットルバルブを前記吸気通路の内壁に当接させる工程と、前記全閉開度規制部材を前記全閉ストッパに当接させる工程と、前記スロットルバルブを、前記吸気通路の内壁に当接させた状態から全閉開度とオープナ開度とを足した開度分だけ回動させる工程と、前記全閉開度規制部材をオープナ開度分だけ回動させる工程と、前記オープナ開度規制部材の位置を前記ストッパ部材が前記オープナストッパに当接する位置とする工程と、前記全閉開度規制部材及び前記オープナ開度規制部材を前記スロットルシャフトに固着させる工程とを備えるスロットル装置の製造方法である。
【手続補正５】
【補正対象書類名】明細書
【補正対象項目名】００１２
【補正方法】変更
【補正の内容】
【００１２】
第５の発明は、吸気通路を有するスロットルボディと、前記吸気通路内に配置され、該吸気通路内を開閉するスロットルバルブと、前記スロットルボディに回転可能に設けられ、前記スロットルバルブと一体で回転するスロットルシャフトと、前記スロットルシャフトに固定され、電動式アクチュエータによって回動されるスロットルギヤと、前記スロットルギヤを所定のオープナ開度位置に付勢するスプリングと、前記スロットルボディに設けられ、開閉方向に回動する前記スロットルギヤの全閉開度位置以下への回動を規制する全閉ストッパと、前記スロットルボディに設けられ、前記スプリングに設けられかつ該スプリングと共に開閉方向に回動するストッパ部材の前記オープナ開度位置以下への回動を規制するオープナストッパと、前記スロットルシャフトに対して、前記全閉ストッパに当接可能な位置において固着されている全閉開度規制部材と、前記スロットルシャフトに対して、前記オープナストッパに前記ストッパ部材が当接可能な位置において固着されているオープナ開度規制部材と、を備えている、スロットル装置の製造方法であって、前記スロットルバルブを全閉開度位置とした状態で、前記スロットルシャフトに回転可能に嵌合された前記全閉開度規制部材を、前記全閉ストッパに当接させる工程と、前記スロットルシャフトと前記全閉開度規制部材とを相対回転不能に保持した状態で、前記スロットルバルブを前記オープナ開度位置に回動させる工程と、前記スロットルバルブを前記オープナ開度位置とした状態で、前記オープナ開度規制部材の位置を前記ストッパ部材が前記オープナストッパに当接する位置とする工程と、前記全閉規制部材及び前記オープナ開度規制部材を前記スロットルシャフトに固着させる工程とを備える、スロットル装置の製造方法である。
【手続補正６】
【補正対象書類名】明細書
【補正対象項目名】００１３
【補正方法】変更
【補正の内容】
【００１３】
第６の発明は、吸気通路を有するスロットルボディと、前記吸気通路内に配置され、該吸気通路内を開閉するスロットルバルブと、前記スロットルボディに回転可能に設けられ、前記スロットルバルブと一体で回転するスロットルシャフトと、前記スロットルシャフトに固定され、電動式アクチュエータによって回動されるスロットルギヤと、前記スロットルギヤを所定のオープナ開度位置に付勢するスプリングと、前記スロットルボディに設けられ、開閉方向に回動する前記スロットルギヤの全閉開度位置以下への回動を規制する全閉ストッパと、前記スロットルボディに設けられ、前記スプリングに設けられかつ該スプリングと共に開閉方向に回動するストッパ部材の前記オープナ開度位置以下への回動を規制するオープナストッパと、前記スロットルシャフトに対して、前記全閉ストッパに当接可能な位置において固着されている全閉開度規制部材と、前記スロットルシャフトに対して、前記オープナストッパに前記ストッパ部材が当接可能な位置において固着されているオープナ開度規制部材と、を備えている、スロットル装置の製造方法であって、前記スロットルバルブを前記オープナ開度位置とした状態で、前記スロットルシャフトに回転可能に嵌合した前記オープナ開度規制部材の位置を前記ストッパ部材が前記オープナストッパに当接する位置とする工程と、前記スロットルシャフトと前記オープナ開度規制部材とを相対回転不能に保持した状態で、前記スロットルバルブを前記全閉開度位置に回動させる工程と、前記スロットルバルブを前記全閉開度位置とした状態で、前記全閉開度規制部材を前記全閉ストッパに当接させる工程と、前記全閉規制部材及び前記オープナ開度規制部材を前記スロットルシャフトに固着させる工程とを備える、スロットル装置の製造方法である。